(57)【要約】【課題】  導線の配置方法を大幅に簡素化し、姿勢がよくないせいで接触が不良になり誤差が生じることを減少させた移動可能な両接触端子式人体特性センサーを提供する。【解決手段】  二つの脈動センサー１０と、二つの導線２０及びＣＰＵを備えるものである。脈動センサー１０は、外観が長い形を呈し、導電金属から一体成型することも可能である。ハンダ付けの方法で各導線２０と連接される接続部１１を有し、かつ上表面１２が弧形を呈し、測定対象の手で握られる接触端子を形成する。脈動センサー１０の底部に両側に向かいかつ下向きに延伸する二つのクリップ部１３を有し、二つのクリップ部１３は弾性を有し、その間に挟む空間を形成する。ＣＰＵは、二つの導線２０を介しそれぞれ脈動センサー１０と電気的に接続され、電圧信号を受け特定プログラムで数値に変換し、そののち出力する。【選択図】    図２
0003104426.tif 000002
【実用新案登録請求の範囲】
【請求項１】
二つの脈動センサー、二つの導線及びＣＰＵを備える移動可能な両接触端子式人体特性センサーであって、
脈動センサーは、導電材質により一体成型され、測定対象に握られる接触端子及び両側に向かいかつ下向きに延伸する二つのクリップ部を形成し、二つのクリップ部は弾性を有し、その間に挟む空間を形成し、
ＣＰＵは、二つの導線を介しそれぞれ脈動センサーと電気的に接続され、二つの脈動センサーで感知された電圧信号を受け、変換し、特定プログラムで計算し、そののち数値を出力することを特徴とする移動可能な両接触端子式人体特性センサー。
【請求項２】
脈動センサーは、上表面に格子縞の孔を有することを特徴とする請求項１に記載の移動可能な両接触端子式人体特性センサー。
【請求項３】
脈動センサーは、ハンダ付けの方法により各導線と連接される接続部を有することを特徴とする請求項１に記載の移動可能な両接触端子式人体特性センサー。
【請求項４】
脈動センサーは、突起する通電差込口を有し、導線は、前端に通電差込口に差し込むプラグを有することを特徴とする請求項１に記載の移動可能な両接触端子式人体特性センサー。
【請求項５】
二つの脈動センサー、二つの導線及びＣＰＵを備える移動可能な両接触端子式人体特性センサーであって、
脈動センサーは、感知ユニットと導電シートから構成され、感知ユニットは上表面に嵌合溝を有し、導電シートは嵌合溝に嵌まって感知ユニットの上表面に嵌合され、また感知ユニットの底部には両側に向かいかつ下向きに延伸する二つのクリップ部を形成し、二つのクリップ部は弾性を有し、その間に挟む空間を形成し、
ＣＰＵは、二つの導線を介しそれぞれ導電シートと電気的に接続され、二つの導電シートで感知された電圧信号を受け、変換し、特定プロ部ラムで計算し、そののち数値を出力することを特徴とする移動可能な両接触端子式人体特性センサー。
【請求項６】
導電シートは、ハンダ付けの方法により各導線と連接される接続部を有することを特徴とする請求項５に記載の移動可能な両接触端子式人体特性センサー。
【請求項７】
感知ユニットは、突起する通電差込口を有し、導電シートは、通電差込口に連接する接続部を有し、導線は、前端に通電差込口に差し込むプラグを有することを特徴とする請求項５に記載の移動可能な両接触端子式人体特性センサー。
【請求項８】
導電シートは、金属シートであることを特徴とする請求項５に記載の移動可能な両接触端子式人体特性センサー。
【請求項９】
導電シートは、格子縞の金属シートであることを特徴とする請求項５に記載の移動可能な両接触端子式人体特性センサー。
【請求項１０】
導電シートは、導電マスクであることを特徴とする請求項５に記載の移動可能な両接触端子式人体特性センサー。
【考案の詳細な説明】
【技術分野】
【０００１】
本考案は、人体特性センサーに関し、特に移動可能な両接触端子式人体特性センサーに関する。
【背景技術】
【０００２】
人体特性センサーは各種医学保健装置、運動器材に広汎に適用されている。その方法は、脈動センサーを装置の所定の部位に設置し、測定対象の両手で別々脈動センサーが握られると、心拍数または体脂肪率などの人体特性の測定が進行する。
【考案の開示】
【考案が解決しようとする課題】
【０００３】
周知の人体特性センサーは四接触端子式人体特性センサーである。四接触端子式の感知方法は、同じセンサー内に二つの接触端子を設置しなければならない。各センサーは少なくとも二本の導線により接続され、導線の配置方法が比較的に複雑で、また多い導線の間に短絡し信号の干渉が発生し、感知結果の誤りを招くことを避けるために、絶縁問題を考慮することが必要である。また製造過程において、短絡問題を避けるために、導線の配置に用いる導線溝を増設することが必要で、そして異なる導線を配置する過程において思いがけず接触し短絡することを避けるために、絶縁層を長めに置くことが必要であるため、手間がかかり、コストアップするものである。
【０００４】
それに対して、考案者は両接触端子式人体特性センサーを下記のように考案した。一つは「両接触端子式心拍数感知方法」（出願中）である。これは、両接触端子を介し人体（両手または両足）に接触し、人体脈動信号を測定し、心拍数を感知する。もう一つは、「両接触端子式体脂肪感知方法」（中華民国特許公報第４４５４５０１）は、両接触端子を介し人体に接触し、人体蓄電特性を測定し、体脂肪を感知する。しかし、上述の考案を操作する際、使用者はセンサーの設置方法に制限され、測定対象が楽な姿勢でセンサーを操作できないものであるため、姿勢がよくないせいで接触が不良になることが発生する。
【０００５】
したがって本考案の目的は、各脈動センサーに接触端子を一つだけ設置し、導線を介しＣＰＵに接続することで導線の配置方法が大幅に簡素化する移動可能な両接触端子式人体特性センサーを提供することにある。
【０００６】
本考案のもう一つの目的は、測定対象が適当な所に位置して楽な姿勢で握ることで、姿勢がよくないせいで接触が不良になり誤差が生じることを減少させる移動可能な両接触端子式人体特性センサーを提供することにある。
【課題を解決するための手段】
【０００７】
上述の目的を達成するために本考案の請求項に記載の移動可能な両接触端子式人体特性センサーは、二つの脈動センサーと、二つの導線及びＣＰＵを備えるものである。二つの脈動センサーは、脈動センサーの外部表面に接触端子を有し、また脈動センサーの底部に両側に向かいかつ下向きに延伸する二つのクリップ部を有し、その二つのクリップ部が弾性を有し、その間に挟む空間を形成する。ＣＰＵは、二つの導線を介しそれぞれ脈動センサーと電気的に接続され、電圧信号を受け特定プログラムで数値に変換し、そののち出力する。
【考案を実施するための最良の形態】
【０００８】
以下、本発明の実施例を図面に基づいて説明する。
図１から図３に示すように、本考案の実施例による移動可能な両接触端子式人体特性センサーは、二つの脈動センサー１０と、二つの導線２０及びＣＰＵ３０を備える。
【０００９】
脈動センサー１０は、外観が長い形を呈し、導電金属から一体成型することも可能である。ハンダ付けの方法で各導線２０と連接される接続部１１を有し、かつ上表面１２が弧形を呈し、測定対象の手で握られる接触端子を形成する。また上表面に通気及び滑り止めのための格子縞の孔を有することで、測定対象が汗をかいたり動いたりして脈動センサー１０をしっかり握れないことを避ける。また脈動センサー１０は両側に向かいかつ下向きに延伸する二つのクリップ部１３を有し、その二つの間に挟む空間を形成し、二つのクリップ部１３は弾性を有し弾性変形を進行させ、伸張されたり復帰したりすることで挟む作用が生じる。脈動センサー１０を電気絶縁の作用がある棒体４０上にとめるものであるため、測定対象は脈動センサー１０を棒体４０の適当な位置にとめ、楽な姿勢で握って接触することが可能である。ＣＰＵ３０は、二つの導線２０を介しそれぞれ脈動センサー１０と電気的に接続され、電圧信号を受け特定プログラムで変換演算し、そののち数値を出力する。
【００１０】
図１に示すように、測定対象が両手（両足）で二つの脈動センサー１０に接触する場合、測定対象と、二つの脈動センサー１０と、二つの導線２０及びＣＰＵ３０は電気回路を形成し、ＣＰＵ３０を介し電圧信号を収集し分析し、数値を出力することで、人体特性を感知可能である。例えば、人体電位差信号を測定することで心拍数を分析し、人体蓄電特性または抵抗を測定することで体脂肪量を分析することが可能である（これは従来の技術で、本考案の請求範囲に属さないため、詳しい説明を省く）。
【００１１】
図４に示すように、本考案の第二実施例による移動可能な両接触端子式人体特性センサーは、二つの脈動センサー５０と、二つの導線２０及びＣＰＵ３０を備える。本実施例は第一実施例とほぼ同じであるが、その違うことは下記の通りである。
【００１２】
脈動センサー５０は、外観が長い形を呈する感知ユニット５１と導電シート５２から構成される。感知ユニット５１は電気絶縁のプラスチック材料から構成され、その上表面が弧形を呈し、かつ嵌合溝５１１を有する。また感知ユニット５１の長辺が両側に向かいかつ下向きに延伸し二つのクリップ部５１２を形成し、その二つの間に挟む空間を形成する。二つのクリップ部５１３は弾性を有し弾性変形を進行させ、伸張されたり復帰したりすることで挟む作用が生じる。脈動センサーを棒体４０上にとめるものであるため、測定対象は脈動センサー５０を棒体４０の適当な位置にとめ、楽な姿勢で握って接触することが可能である。導電シート５２は金属シートから構成され、導電シート５２が嵌合溝５１１に嵌まって感知ユニット５１の上表面に嵌合されることで、測定対象の手で握られる接触端子を形成し、また導電シート５２は接続部５２１を有する。導線２０は感知ユニット５１に配置され、ハンダ付けの方法で接続部５２１と接続される。
【００１３】
図５に示すように、本考案の第三実施例による移動可能な両接触端子式人体特性センサーは、二つの脈動センサー６０と、二つの導線２０及びＣＰＵ３０を備える。本実施例は第二実施例とほぼ同じであるが、その違うことは下記の通りである。
【００１４】
脈動センサー６０は、外観が長い形を呈し電気絶縁の作用を有する感知ユニット６１と導電シート６２から構成される。そのうちの感知ユニット６１は突起する通電差込口６３を有する。導電シート６２は格子縞の金属シートから構成される。導電シート６２が嵌合溝６１１に嵌まって感知ユニット６１の上表面に嵌合されることで、測定対象の手で握られる接触端子を形成する。また導電シート６２は通電差込口６３と接続する接続部６２１を有する。導線２０は前端に通電差込口６３に差し込むプラグ２１を有することで、導線２０と導電シート６２を分離式コネクターで接続することが可能である。
【００１５】
本考案の第二、第三実施例による移動可能な両接触端子式人体特性センサーは、脈動センサー上に嵌まる導電シートが、金属シートまたは導電マスクまたは導電材料のいずれか一つから構成することが可能である。材質により肌触りが異なるため、使用者に多様な選択を提供することが可能である。
【００１６】
本考案の利点は、各脈動センサーが接触端子を一つだけ有し、各脈動センサーとＣＰＵを電気的に接続するには必要な導線が僅か一本であるため、導線の配置が大いに簡易となる。センサー内部に別々導線を隔離する導線溝を設置する必要がなく、複数の導線が脈動センサー内に集中し、絶縁が不良になり短絡か干渉という問題が発生することを避けることが可能だということである。また移動可能な構造は握り易い位置に任意に設置可能であるため、握る姿勢がよくないせいで接触が不良になることを減少させる。
【図面の簡単な説明】
【００１７】
【図１】本考案の第一実施例による移動可能な両接触端子式人体特性センサーを運用する図である。
【図２】本考案の第一実施例による移動可能な両接触端子式人体特性センサーを示す立体図である。
【図３】本考案の第一実施例による移動可能な両接触端子式人体特性センサーが棒体に嵌まった状態を示す立体図である。
【図４】本考案の第二実施例による移動可能な両接触端子式人体特性センサーを示す立体図である。
【図５】本考案の第三実施例による移動可能な両接触端子式人体特性センサーを示す立体図である。
【符号の説明】
【００１８】
１０  脈動センサー、１１  接続部、１２  上表面、１３  クリップ部、２０  導線、２１  プラグ、３０  ＣＰＵ、４０  棒体、５０  脈動センサー、５１  感知ユニット、５２  導電シート、６０  脈動センサー、６１  感知ユニット、６２  導電シート、６３  通電差込口、５１１  嵌合溝、５１２  クリップ部、５２１  接続部、６１１  嵌合溝、６１２  クリップ部、６２１  接続部
【図１】
0003104426.tif 000003
【図２】
0003104426.tif 000004
【図３】
0003104426.tif 000005
【図４】
0003104426.tif 000006
【図５】
0003104426.tif 000007